(57)【要約】      （修正有）【課題】靴下からなるキャラクターの頭部を模した成形商品を提供する。【解決手段】対の靴下Ａ１、Ａ２からなるキャラクターＫの頭部を模した成形商品Ｇである。その対の少なくとも一方の靴下Ａ１は爪先ａ部分にキャラクターＫの顔が描かれている。その一方の靴下Ａ１は裏返されて他方の靴下Ａ２の中に爪先ａ及びウェルトｂが一致して全長に亘って入り込むように入れられ、他方の靴下Ａ２はそのウェルト側から反対側の爪先が隠れるまで裏返されている。その裏返されて重なった対の靴下Ａ１、Ａ２は、その内側の靴下Ａ１のウェルト側から爪先側に向かって爪先が表に出てキャラクターＫの顔が表に出て現れるまでまくり上げられており、そのウェルト部分はまくり上げた部分内に押し込められている。この態様の靴下は、キャラクターＫの頭部を模した成形商品Ｇとなる。【選択図】図１
0003203441.tif 000002
【実用新案登録請求の範囲】
【請求項１】
対の靴下（Ａ１、Ａ２）からなり、その対の少なくとも一方の靴下（Ａ１）はその爪先（ａ）部分の表面にキャラクター（Ｋ）の顔が描かれており、
上記一方の靴下（Ａ１）は、全長に亘って裏返されて他方の靴下（Ａ２）の中に爪先（ａ）が一致するように長さ方向に入り込んでいるとともに、他方の靴下（Ａ２）はそのウェルト（ｂ）側から反対側の爪先（ａ）が隠れるまで裏返されており、
その裏返されて重なった対の靴下（Ａ１、Ａ２）は、その内側の一方の靴下（Ａ１）が他方の靴下（Ａ２）と共にウェルト（ｂ）側から爪先（ａ）側に向かってその爪先（ａ）が完全にひっくり返って上記キャラクター（Ｋ）の顔が表に出て現れるまでまくり上げられて上記キャラクター（Ｋ）の頭状となっているとともに、他方の靴下（Ａ２）のウェルト（ｂ）部分は前記頭状のまくり上げた部分内に押し込められている靴下からなるキャラクターの頭部を模した成形商品。
【請求項２】
上記対の靴下（Ａ１、Ａ２）が同一の柄からなり、その他方の靴下（Ａ２）も全長に亘って裏返されて、その他方の靴下（Ａ２）に一方の靴下（Ａ１）が入り込んでいる請求項１に記載の靴下からなるキャラクターの頭部を模した成形商品。
【考案の詳細な説明】
【技術分野】
【０００１】
この考案は、対の靴下によってキャラクターの頭部を模した成形商品に関するものである。
【背景技術】
【０００２】
靴下（ソックス）は脚部を被う衣類であり、その表面模様は編み糸の色や編み方を変化させることによって種々のものが得られる。
一方、キャラクターは、小説、漫画、映画、アニメ、コンピュータゲームなどのフィクションに登場する人物や動物等であって、そのキャラクターを商品に付記（描いたり、記載したり等）することによって販売促進を図ることが行われている。
そのキャラクターの付記は靴下でも例外ではなく、その付記は、通常、靴下の身部の前側に行われる（特許文献１、要約、図１〜図３）。
【先行技術文献】
【特許文献】
【０００３】
【特許文献１】特開平９−７８３０５号公報
【考案の概要】
【考案が解決しようとする課題】
【０００４】
上記キャラクターを付記した靴下はそれなりに販売促進に貢献しているが、この考案は、その販売態様によってさらなる販売促進をし得るようにすることを課題とする。
【課題を解決するための手段】
【０００５】
その課題を達成するために、この考案は、対の靴下からなり、その対の少なくとも一方の靴下はその爪先部分の表面にキャラクターの顔が描かれており、前記一方の靴下は、全長に亘って裏返されて他方の靴下の中に爪先が一致するように長さ方向に入り込んでいるとともに、他方の靴下はそのウェルト側から反対側の爪先が隠れるまで裏返されており、その裏返されて重なった対の靴下は、その内側の一方の靴下が他方の靴下と共にウェルト側から爪先側に向かってその爪先が完全にひっくり返って前記キャラクターの顔が表に出て現れるまでまくり上げられてキャラクターの頭状となっているとともに、他方の靴下のウェルト部分は前記頭状のまくり上げた部分内に押し込められている構成の靴下からなるキャラクターの頭部を模した成形商品としたのである。
【０００６】
このように構成すると、まくり上げてキャラクターの顔が現れ、ウェルト部分はまくり上げた部分内に押し込められた態様となり、その態様は、まくり上げた靴下部分及び押し込めた靴下部分がキャラクターの顔が描かれた爪先部分内に納まってふくらみ、そのキャラクターの頭部を呈するものとなる。この態様で販売すれば、従来になかった斬新な靴下として販売を促進することができる。
【０００７】
この構成において、上記対の靴下が同一の柄からなり、その他方の靴下も全長に亘って裏返されて、その他方の靴下に一方の靴下が入り込んでいる構成とすれば、上記キャラクターの頭部分となった成形商品において、表に出ている爪先部分と押し込めたウェルト部分を摘んで両靴下を離せば（一方の靴下から他方の靴下を取り出せば）、両靴下がその表が現れた使用状態となる。
【考案の効果】
【０００８】
この考案は、以上のように構成して、キャラクターの頭部を模した靴下からなる成形商品としたため、靴下としては勿論、贈り物等、特に、子供への贈り物やおみやげ等として最適な品となる。
【図面の簡単な説明】
【０００９】
【図１】この考案に係る靴下によるキャラクターの頭部を模した成形商品の一実施形態を示し、（ａ）は正面図、（ｂ）は斜視図、（ｃ）は下面図
【図２】同実施形態の靴下の平面図
【図３】同実施形態のキャラクターの頭部を模した成形商品への製作説明図
【図４】同製作説明図
【図５】同製作説明図
【考案を実施するための形態】
【００１０】
この考案に係る一実施形態を図１〜図５に示し、この靴下Ａは、丸編みや平編み等の従来周知の種々の編み方で製造され、踵部（踵）を有するものと、踵の無いものがある。後者の踵の無い物は、足の大きさの制限が少ないため、ロット数を減らすことができる。この実施形態においては、踵の有る物としたが、踵を無いものも採用し得る。
【００１１】
この実施形態は、図２に示す対の靴下Ａ１、Ａ２からなり、その対の靴下Ａ１、Ａ２は、同一柄からなり、その爪先ａの部分に熊（キャラクター）Ｋの顔の図柄（以下、キャラクター及びその図柄を適宜に「Ｋ」と称する）が施されている。靴下Ａ１、Ａ２の長さ方向のほぼ半分からウェルトｂの間には縞模様Ｗが施されている（編み込まれている）。この縞模様Ｗはキャラクターの図柄Ｋと関連させても関連させなくても良く、その模様は任意である。
【００１２】
この対の靴下Ａ１、Ａ２は以上の構成であり、この対の靴下Ａ１、Ａ２によってキャラクターＫの頭部を模した成形品（成形商品）Ｇとするには、まず、図３に示すように、その両靴下Ａ１、Ａ２を全長に亘って裏返し、図４（ａ）に示すように、一方の靴下Ａ１を他方の靴下Ａ２の中に両者の爪先ａ及びウェルトｂが一致して全長に亘って入り込むように入れる。このとき、図柄Ｋが同じ側に位置するようにする（踵部が重なるようにする）。これにより、仕上がり態様（図１（ａ））が綺麗なものとなる。
【００１３】
その後、同図（ｂ）から同（ｃ）に示すように、他方の靴下Ａ２をそのウェルトｂ側から反対側の爪先ａが隠れるまで裏返しする。このとき、裏返し長さＬは、同図（ｃ）に示すように、内側の爪先ａからウェルトｂが所要長さＬ’分突出するようにする。前記長さＬ、Ｌ’は、図５（ｄ）に示す状態において、ウェルトｂが突出し、そのウェルトｂの部分を押し込むことによって、キャラクターＫの頭に似るふくらみが生じるように、実作業等によって適宜に決定する。
【００１４】
つづいて、図５（ａ）→同（ｂ）→同（ｃ）→同（ｄ）に示すように、内側の靴下Ａ１のウェルトｂ側から爪先ａ側に向かってその爪先ａが表に出て前記キャラクターＫが現れるまでまくり上げる（同図（ｄ））。突出するウェルトｂの部分はまくり上げた部分内に押し込める（図１（ｃ）参照）。これによって、熊のキャラクターＫの頭部を模した成形商品Ｇとなる。
この成形商品Ｇとして靴下Ａ１、Ａ２を販売する。
【００１５】
以上から理解できるように、内側に入れられる靴下Ａ１のキャラクターＫが表面に現れ、他の靴下Ａ２はその一方の靴下Ａ１によって形成されるキャラクターＫの頭のふくらみを形成するものであって、他方の靴下Ａ２は表に出ないため、どのような柄の靴下でも良いが、対であることから両靴下Ａ１、Ａ２が同一柄であることが好ましい。
このとき、上記実施形態のように、その他方の靴下Ａ２も全長に亘って裏返されて、その他方の靴下Ａ２に一方の靴下Ａ１が入り込んでいる構成とすれば、上記キャラクターＫの頭部分となった成形商品Ｇにおいて、図５（ｄ）の矢印で示すように、表に出ている爪先ａ部分と押し込めたウェルトｂ部分を摘んで両靴下Ａ１、Ａ２を離せば（一方の靴下Ａ１から他方の靴下Ａ２を取り出せば）、両靴下Ａ１、Ａ２が図２に示すその表が現れた使用状態となる。
【００１６】
なお、この考案において、キャラクターＫは、熊に限らず、他の動物を採用することができ、また、小説、漫画、映画、アニメ、コンピュータゲームなどのフィクションに登場する人物等のみならず、靴下への装飾として採用し得る顔を有する物を適宜に採用し得ることは勿論である。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００１７】
Ａ、Ａ１、Ａ２  靴下
Ｇ  成形商品（成型品）
Ｋ  キャラクター（同顔の模様・図柄）
ａ  靴下の爪先
ｂ  靴下のウェルト
【図１】
0003203441.tif 000003
【図２】
0003203441.tif 000004
【図３】
0003203441.tif 000005
【図４】
0003203441.tif 000006
【図５】
0003203441.tif 000007